(57)【要約】  小径化されても高効率な電動送風機およびそれを備える電気掃除機を提供する。遠心羽根車（１１）と、電動機（９）と、遠心羽根車（１１）の回転軸方向において遠心羽根車（１１）と電動機との間に設けられたディフューザ（１５）とを備える。ディフューザ（１５）は、主板（１４）と、主板（１４）に設けられている複数の静翼（１２）および複数の戻り静翼（１３）とを含む。主板は、遠心羽根車（１１）よりも回転軸に対して外周側に位置し、かつ複数の静翼と連結されている連結部（１４Ａ）を有する。複数の静翼の各々は、連結部よりも回転軸から遠くに位置する外周部（１２Ｂ）とを有する。複数の静翼の外周部の各々は、上記方向において、主板の連結部よりも電動機側に延出している延出部（２３）を有する。複数の静翼の外周部に外接する円の径Ｄ１に対する主板の外縁部に内接する円の径Ｄ０の比Ｄ０／Ｄ１が０．９超えである。
2018003017.tif 000002
【特許請求の範囲】
【請求項１】
遠心羽根車と、
前記遠心羽根車を回転させる電動機と、
前記遠心羽根車の回転軸に沿った方向において前記遠心羽根車と前記電動機との間に設けられたディフューザとを備え、
前記ディフューザは、前記方向において前記遠心羽根車と前記電動機との間に設けられた主板と、前記方向において前記主板の前記遠心羽根車に面する面に環状に設けられている複数の静翼と、前記方向において前記主板の前記電動機に面する面に環状に設けられている複数の戻り静翼とを含み、
前記主板は、前記遠心羽根車よりも前記回転軸に対して外周側に位置し、かつ前記複数の静翼と連結されている連結部を有し、
前記複数の静翼の各々は、前記連結部よりも前記回転軸に対して外周側に位置する外周部を有し、
前記複数の静翼の前記外周部の各々は、前記方向において、前記主板の前記連結部よりも前記電動機側に延出している延出部を有し、
前記複数の静翼の前記外周部に外接する円の径Ｄ１に対する前記主板の外縁部に内接する円の径Ｄ０の比Ｄ０／Ｄ１が０．９超えである、電動送風機。
【請求項２】
前記連結部において前記回転軸から最も遠くに位置する部分は、前記連結部において前記回転軸に対して最も近くに位置する部分よりも、前記方向において前記電動機側に位置している、請求項１に記載の電動送風機。
【請求項３】
前記延出部は、前記方向において前記電動機側に位置する前記延出部の端部と、前記連結部において前記回転軸から最も遠くに位置する部分との間の前記方向における距離が、外周側に向かうにつれて大きくなるように構成されている、請求項１または請求項２に記載の電動送風機。
【請求項４】
前記主板の平面形状は、円形状である、請求項１〜請求項３のいずれか１項に記載の電動送風機。
【請求項５】
前記連結部は、前記方向において前記電動機側に向かって湾曲している湾曲部を有している、請求項１〜請求項４のいずれか１項に記載の電動送風機。
【請求項６】
前記遠心羽根車および前記ディフューザを内部に収容しているファンカバーをさらに備え、
前記複数の静翼の前記外周部は、前記ファンカバーの内周面と接触している、請求項１〜請求項５のいずれか１項に記載の電動送風機。
【請求項７】
電気掃除機本体と、
前記電気掃除機本体と管路で連結され、被清掃部の空気を吸引する吸込部と、
前記電気掃除機本体の内部に設けられ、前記吸込部と連通し、吸引した空気の塵を収納する集塵部と、
前記電気掃除機本体の内部に設けられ、前記吸込部から前記集塵部へと空気を吸引する、請求項１〜６のいずれか１項に記載の電動送風機とを備える、電気掃除機。
【発明の詳細な説明】
【技術分野】
【０００１】
この発明は、電動送風機および電気掃除機に関する。
【背景技術】
【０００２】
従来、電気掃除機に用いられる電動送風機が知られている。従来の電動送風機は、電動機と、遠心羽根車と、電動機と遠心羽根車との間にディフューザとを備えている。ディフューザは、遠心羽根車側に設けられたディフューザベーンと、電動機側に設けられたリターンガイドベーンとを有している。ファンケーシングとディフューザとの間には、ディフューザベーン側からリターンガイドベーン側への流路となる隙間と、ディフューザの外周端（ディフューザベーン側とリターンガイドベーン側とを仕切る仕切板の外周端）からディフューザベーンの外周側の面に至る凹部とが設けられている。そして、リターンガイドベーンの外径をディフューザベーンの外径より小さくして、ディフューザベーン側からリターンガイドベーンへの通気抵抗を低減するようにしたものがある（例えば、特開平１０−７１１０７号公報（特許文献１）の第５頁〜７頁および図１参照）。
【先行技術文献】
【特許文献】
【０００３】
【特許文献１】特開平１０−７１１０７号公報
【発明の概要】
【発明が解決しようとする課題】
【０００４】
特許文献１に示されるように、従来の電動送風機はディフューザベーンの後縁からリターンガイドベーンの前縁の間で流路が急激に拡大するように設けられている。そのため、従来の電動送風機は、ディフューザベーンの後縁下流側の圧力が上昇することによってディフューザベーンの翼間の流れに局所的な逆流が生じて流れが不安定になり、特に、動作条件が低風量側にあるときに失速しやすくなるという問題があった。また、上記のような局所的な逆流に起因した効率の低下の程度は、小径化された電動送風機において特に大きくなるという問題があった。【０００５】
本発明は、上記のような課題を解決するためになされたものであり、本発明の主たる目的は、小径化されても高効率な電動送風機およびそれを備える電気掃除機を提供することにある。
【課題を解決するための手段】
【０００６】
本発明に係る電動送風機は、遠心羽根車と、遠心羽根車を回転させる電動機と、遠心羽根車の回転軸に沿った方向において遠心羽根車と電動機との間に設けられたディフューザとを備える。ディフューザは、上記方向において遠心羽根車と電動機との間に設けられた主板と、上記方向において主板の遠心羽根車に面する面に環状に設けられている複数の静翼と、上記方向において主板の電動機に面する面に環状に設けられている複数の戻り静翼とを含む。主板は、遠心羽根車よりも外周側に位置し、かつ複数の静翼と連結されている連結部を有する。複数の静翼の各々は、連結部よりも外周側に位置する外周部とを有する。複数の静翼の外周部の各々は、上記方向において、主板の連結部よりも電動機側に延出している延出部を有する。複数の静翼の外周部に外接する円の径Ｄ１に対する主板の外縁部に内接する円の径Ｄ０の比Ｄ０／Ｄ１が０．９超えである。
【発明の効果】
【０００７】
本発明によれば、小径化されても高効率な電動送風機およびそれを備える電気掃除機を提供することができる。
【図面の簡単な説明】
【０００８】
【図１】実施の形態１に係る電動掃除機を示す模式図である。
【図２】実施の形態１に係る電動送風機を示す断面図である。
【図３】実施の形態１に係る電動送風機のディフューザを示す平面図である。
【図４】図２に示すディフューザの斜視図である。
【図５】実施の形態１に係る電動送風機において、静翼の外径の最大値に対する主板の外径の最小値の比Ｄ０／Ｄ１と、電動送風機の効率との関係を示すグラフである。
【図６】実施の形態２に係る電動送風機を示す断面図である。
【図７】実施の形態３に係る電動送風機のディフューザを示す平面図である。
【図８】実施の形態４に係る電動送風機のディフューザを示す平面図である。
【図９】実施の形態４に係る電動送風機の作用効果を説明するための比較例を示す平面図である。
【発明を実施するための形態】
【０００９】
以下、図面を参照しながら本発明の実施の形態について説明する。なお、以下の図面において同一または相当する部分には同一の参照番号を付し、その説明は繰り返さない。
【００１０】
実施の形態１．
＜電動掃除機の構成＞
図１は実施形態に係る電気掃除機の模式図である。図１において、本電気掃除機は、電気掃除機本体１と、吸込部４と、集塵部５と、電動送風機６と排出口７とを備える。吸込部４は、電気掃除機本体１と管路としてのホース２および延長パイプ３で連結され、被清掃部の空気を吸引する。ホース２は電気掃除機本体１に接続される。延長パイプ３は、ホース２の先端側に接続される。吸込部４は延長パイプ３の先端部に接続される。集塵部５は、電気掃除機本体１内部に設けられ、吸込部４と連通し、吸引した空気の塵を収納する。電動送風機６は、電気掃除機本体１内部に設けられ、吸込部４から集塵部５へと空気を吸引する。電動送風機６は、後述する本発明の実施形態に係る電動送風機である。排出口７は、電気掃除機本体１外側に設けられ、集塵部５で集塵された後の空気を電気掃除機本体１の外へ排出する。排出口７は、図１に示すように電気掃除機本体１の後方に設けられている。
【００１１】
電気掃除機本体１の側部には、走行方向後側に後部車輪８が配置されている。電気掃除機本体１の下部には、走行方向前側に前部車輪（図示せず）が設けられている。
【００１２】
＜電動送風機の構成＞
図２〜図５を参照して、実施の形態１に係る電動送風機６は、遠心羽根車１１と電動機９とディフューザ１５とを備える。電動機９はシャフト１０を含む。遠心羽根車１１はシャフト１０に固定されている。電動機９はシャフト１０を回転させることにより、遠心羽根車１１を回転駆動する。電動機９はたとえばモータなどの電動機である。遠心羽根車１１およびディフューザ１５はファンカバー１６に収容されており、ファンカバー１６との間で風路を形成している。なお、図２および図４において、矢印は空気の流れを示している。
【００１３】
ディフューザ１５は、ファンカバー１６との間で、空気の流通方向に垂直な断面積（以下、単に流路面積という）が徐々に拡大された風路を形成している。ディフューザ１５は、複数の静翼１２と、複数の戻り静翼１３と、主板１４とを含む。主板１４は、遠心羽根車１１の回転軸Ｏに沿った方向（以下、単に回転軸方向という）において遠心羽根車１１と電動機９との間に設けられている。主板１４は、遠心羽根車１１よりも外周側に位置し、かつ複数の静翼１２と連結されている連結部１４Ａを有する。主板１４は、回転軸方向において遠心羽根車１１に面する面と、電動機９に面する面とを有している。連結部１４Ａは、主板１４の外周側に位置する外縁部１４ｏを有している。回転軸方向からの平面視において、主板１４の平面形状は、略多角形状である。主板１４は、回転軸Ｏから外縁部１４ｏまでの距離が相対的に長い部分と短い部分とを有している。主板１４は、回転軸Ｏから外縁部１４ｏまでの距離が相対的に長い部分と短い部分とが、遠心羽根車１１の回転方向において交互に形成されている。主板１４の平面形状は、例えば、回転軸Ｏから外縁部１４ｏまでの距離が相対的に長い部分が内角が１８０度未満である頂点を成すとともに、回転軸Ｏから外縁部１４ｏまでの距離が相対的に短い部分が内角が１８０度超えである頂点を成すように設けられている。なお、主板１４の平面形状は、回転軸Ｏから外縁部１４ｏまでの距離が相対的に長い部分のみが頂点を成すように設けられていてもよい。
【００１４】
複数の静翼１２は、主板１４の連結部１４Ａの遠心羽根車１１に面する面に環状に設けられている。つまり、複数の静翼１２は、遠心羽根車１１よりも外周側に配置されている。
【００１５】
複数の静翼１２の各々は、主板１４の連結部１４Ａ上に位置する第１部１２Ａと、主板１４の連結部１４Ａよりも回転軸Ｏに対して外周側に位置する第２部１２Ｂ（外周部）とを有する。つまり、回転軸Ｏを中心として複数の静翼１２の各第２部１２Ｂに外接する円Ｃ１の径Ｄ１は、主板１４の外径の最大値よりも大きい。複数の静翼１２の各々は、第１部１２Ａが内周側に位置する内縁部１２ｉを有し、第２部１２Ｂが外周側に位置する外縁部１２ｏを有している。
【００１６】
複数の静翼１２の第２部１２Ｂの各々は、上記回転軸方向において、主板１４の連結部１４Ａよりも電動機９側に延出している延出部２３を有する。つまり、第２部１２Ｂは、回転軸方向における長さが第１部１２Ａと比べて長い部分を有している。
【００１７】
図２、図３および図５を参照して、複数の静翼１２の第２部１２Ｂ（外周部）に外接する円Ｃ１の径Ｄ１に対する主板１４の外縁部１４ｏに内接する円Ｃ０の径Ｄ０の比Ｄ０／Ｄ１は、０．９超え（Ｄ０／Ｄ１＞０．９）である。なお、回転軸Ｏを中心として主板１４の外縁部１４ｏに内接する円Ｃ０は、主板１４において回転軸Ｏから外縁部１４ｏまでの距離が相対的に短い部分に内接する。
【００１８】
複数の戻り静翼１３は、回転軸方向において主板１４の電動機９側に位置する面に環状に設けられている。複数の戻り静翼１３において最も外周側に位置する外縁部１３ｏは、例えば主板１４の外縁部１４ｏよりも内周側に位置している。
【００１９】
遠心羽根車１１の上部には、遠心羽根車１１およびディフューザ１５の静翼１２を内包するファンカバー１６が設けられている。ファンカバー１６の中央部には、遠心羽根車１１の吸込口１７に対向する位置に、開口部およびベルマウス１８が設けられている。回転軸方向に垂直な断面において、ファンカバー１６の内周面は例えば円形状に設けられている。
【００２０】
電動送風機６側面には、ファンカバー１６と連結し、戻り静翼１３を内包するブラケット１９と、ブラケット１９に連結し、電動機９を内包するモータフレーム２０とが設けられている。
【００２１】
ファンカバー１６とディフューザ１５の間には、静翼１２の外周側において静翼１２から戻り静翼１３側への気体の流路となる隙間２１が設けられている。モータフレーム２０には、遠心羽根車１１、ディフューザ１５、電動機９を通過した空気が吐出される吐出孔２２が数箇所設けられている。
【００２２】
＜電動送風機の動作＞
電動送風機６は、電動機９に電力が供給されることにより、シャフト１０に取り付けられた遠心羽根車１１が回転して吸込口１７からベルマウス１８内に空気を吸い込む。遠心羽根車１１によりベルマウス１８内に吸い込まれた空気は、遠心羽根車１１によって昇圧、増速され、旋回しながら、回転軸Ｏに対して遠心羽根車１１よりも外周側に位置する複数の静翼１２の翼間に流れ込む。その後、空気は、複数の静翼１２の翼間で昇圧、減速される。さらに、空気は、ディフューザ１５とファンカバー１６との隙間２１を通り、戻り静翼１３によって電動機９側に導かれ、電動機９を冷却する。その後、モータフレーム２０に設けられた吐出孔２２から電動送風機の外側へ空気は排出される。
【００２３】
＜電動送風機の作用効果＞
電動送風機６は、静翼１２が主板１４の連結部１４Ａよりも回転軸Ｏに対して外周側に位置する第２部１２Ｂ（外周部）を有しているため、静翼が第２部１２Ｂを有していない従来の電動送風機と比べて、複数の静翼１２間を通って複数の戻り静翼１３間に向かう風路の通風抵抗を低減できる。さらに、複数の静翼１２の第２部１２Ｂの各々が上記回転軸方向において主板１４の連結部１４Ａよりも電動機９側に延出している延出部２３を有しているため、静翼が延出部２３を有していない従来の電動送風機と比べて、複数の静翼１２間を通って複数の戻り静翼１３間に向かう風路の通風抵抗を低減しつつ、静翼１２と戻り静翼１３との間の局所的な逆流を防止することができる。
【００２４】
さらに、電動送風機６は、複数の静翼１２の第２部１２Ｂに外接する円Ｃ１の径Ｄ１に対する主板１４の外縁部１４ｏに内接する円Ｃ０の径Ｄ０の比Ｄ０／Ｄ１が０．９超えである。図５は、比Ｄ０／Ｄ１を除いて電動送風機６と同様の構成を備える電動送風機について、数値解析で得られた比Ｄ０／Ｄ１と送風機効率との関係を示すグラフである。図５の横軸は比Ｄ０／Ｄ１を示し、図５の縦軸は電動送風機の効率を示す。図５に示されるように、比Ｄ０／Ｄ１が０．９超えとなるように構成されている電動送風機６は、比Ｄ０／Ｄ１が０．９以下となるように構成されている電動送風機と比べて、高効率であることが確認された。これは、以下の理由によると考えられる。
【００２５】
主板１４の外縁部１４ｏに内接する円Ｃ０の径Ｄ０が複数の静翼１２の第２部１２Ｂ（外周部）に外接する円Ｃ１の径Ｄ１に対して相対的に小さくなると、複数の静翼１２間を通って複数の戻り静翼１３間に向かう風路上に形成されている隙間２１の、回転軸方向に垂直な面上での面積が大きくなる。そのため、隙間２１の当該面積が電動送風機６の通風抵抗、仕事率、および効率に及ぼす影響が大きくなる。具体的には、隙間２１の当該面積が大きくなることにより、複数の静翼１２間を通って複数の戻り静翼１３間に向かう風路の通風抵抗が低減し、効率が向上する。しかし、比Ｄ０／Ｄ１が０．９以下となって隙間２１の上記面積が所定の大きさ以上となるように構成されている場合、複数の静翼１２間を流れる空気の一部は静翼１２の外縁部１２ｏに達する前に隙間２１から戻り静翼１３側に流入してしまうため、静翼１２間での昇圧量を十分に確保することができず、効率が低下する。この効率低下は、遠心羽根車１１の径方向における風速が遅い低風量側において特に問題となる。
【００２６】
これに対し、電動送風機６は、比Ｄ０／Ｄ１が０．９超えとなるように構成されているため、複数の静翼１２間を流れる空気の大部分は第２部１２Ｂに達した後に隙間２１から戻り静翼１３側に流入する。そのため、電動送風機６では、複数の静翼１２の第１部１２Ａ間および第２部１２Ｂ間を通過した空気が隙間２１から戻り静翼１３間に流入するため、上記風路の通路抵抗が低減されているとともに、静翼１２間での昇圧量が確保されている。その結果、電動送風機６は、小径化された場合にも、高効率である。
【００２７】
＜電動送風機の具体例＞
次に、図２〜図４を参照して、電動送風機６の具体例について説明する。電動送風機６は、上記構成の他に、以下のような構成をさらに備えていてもよい。
【００２８】
図２に示されるように、主板１４の連結部１４Ａにおいて回転軸Ｏに対して最も外周側に位置する外縁部１４ｏは、連結部１４Ａにおいて回転軸Ｏに対して最も内周側に位置する部分、すなわち連結部１４Ａにおいて静翼１２の内縁部１２ｉと連結されている部分１４ｉよりも、上記回転軸方向において電動機９側に位置していてもよい。異なる観点から言えば、連結部１４Ａは、当該部分１４ｉから外縁部１４ｏに向けて、回転軸方向において電動機９側に向かうように回転軸Ｏに対して傾斜している。
【００２９】
このようにすれば、複数の静翼１２間とファンカバー１６との間に形成される風路の幅を、遠心羽根車１１の径方向において徐々に拡大することができるとともに、回転軸方向においても徐々に拡大することができる。そのため、このように構成された電動送風機６は、風路の幅が径方向においてのみ徐々に拡大されている構成を備える電動送風機６と比べて、複数の静翼１２間とファンカバー１６との間に形成される風路の面積を増大させることができ、当該風路での昇圧量を増加させることができるため、高効率である。
【００３０】
図２に示されるように、延出部２３は、上記回転軸方向において電動機９側に位置する延出部２３の端部と、連結部１４Ａにおいて回転軸Ｏから最も遠くに位置する部分（外縁部１４ｏ）との間の回転軸方向における距離が、外周側に向かうにつれて大きくなるように構成されていてもよい。
【００３１】
このようにすれば、電動送風機６の動作条件が相対的に低風量側にあるときにも、静翼１２間から戻り静翼１３間に空気をスムーズに導くことができ、通路抵抗を低減することができる。そのため、このような電動送風機６は、動作に必要な電力量が低減されており、高効率である。
【００３２】
＜電気掃除機の動作および作用効果＞
次に電気掃除機の動作について説明する。上述のように構成された電気掃除機は、電動機９に電力が供給されると、シャフト１０が回転する。このシャフト１０が回転することにより、シャフト１０に取付けられた遠心羽根車１１が回転し、吸込口１７から空気を吸引する。これにより、電気掃除機本体１に連結されたホース２、延長パイプ３、吸込部４を通じて、被清掃面の空気が電気掃除機本体１に吸引される。電気掃除機本体１に吸引された空気は、集塵部５において集塵される。その後、集塵部５から排出された空気は、電動送風機６のベルマウス１８を通り、遠心羽根車１１の吸込口１７から吸引される。遠心羽根車１１に吸引された空気は、遠心羽根車１１により昇圧、増速され、旋回しながら径方向外側へ向かう。遠心羽根車１１から吐出された空気の大部分は、ディフューザ１５の静翼１２の翼間で減速、昇圧される。その後、空気はディフューザ１５とファンカバー１６の隙間２１を通る。さらに、空気は戻り静翼１３により電動機９側に導かれ、電動機９を冷却する。その後、モータフレーム２０に設けられた吐出孔２２から電動送風機の外側へ空気は排出される。そして、掃除機本体１に設けられた排出口７から電気掃除機本体１の外側へ空気が排出される。
【００３３】
上述した電気掃除機では、上記のような構成の電動送風機６を用いているため、小型かつ高効率な電動送風機および電気掃除機を得ることができる。
【００３４】
実施の形態２．
次に、図６を参照して、実施の形態２に係る電動送風機６０について説明する。電動送風機６０は、基本的には実施の形態１に係る電動送風機６と同様の構成を備えるが、主板１４の連結部１４Ａは、回転軸方向において電動機９側に向かって湾曲している湾曲部２５を有している点で異なる。なお、図６において、矢印は空気の流れを示している。
【００３５】
複数の静翼１２は、例えば主板１４において回転軸方向における下縁部１４ｕと連結されていなくてもよい。複数の静翼１２の第２部１２Ｂ（外周部）の各々は、回転軸方向において、複数の静翼１２と連結されている連結部１４Ａよりも電動機９側に延出している延出部２３を有している。延出部２３において最も内周側に位置する部分（内縁部）は、例えば主板１４の下縁部１４ｕと湾曲部２５との間に位置する部分と連結されている。延出部２３において最も外周側に位置する部分（外縁部）は、延出部２３の上記内縁部よりも回転軸方向において電動機９側に位置しており、好ましくは主板１４の下縁部１４ｕよりも回転軸方向において電動機９側に位置している。
【００３６】
複数の戻り静翼１３は、主板１４において湾曲部２５よりも内周側に位置する部分と連結されている。
【００３７】
このようにしても、電動送風機６０は基本的には電動送風機６と同様の構成を備えているため、電動送風機６と同様の効果を奏することができる。さらに、電動送風機６０は、主板１４の連結部１４Ａが遠心羽根車１１とは反対側に向かって湾曲している湾曲部２５を有しているため、主板１４が湾曲部２５を有さず平板状に設けられている電動送風機６と比べて、主板１４が高強度であり、ねじれ等の変形に対して強い強度を示す。
【００３８】
実施の形態３．
次に、図７を参照して、実施の形態３に係る電動送風機について説明する。実施の形態３に係る電動送風機は、基本的には実施の形態１に係る電動送風機６と同様の構成を備えるが、回転軸方向からの平面視において、主板１４の平面形状が円形である点で異なる。なお、図７において、矢印は空気の流れを示している。
【００３９】
このようにすれば、主板１４の外縁部１４ｏとファンカバー１６の内周面との間の間隔を、上記回転方向において一定とすることができる。そのため、回転軸方向からの平面視において、ファンカバー１６とディフューザ１５の間に形成される各隙間２１の平面形状は均一化されている。その結果、実施の形態３に係る電動送風機は、電動送風機６と比べて、通路抵抗がさらに低減されているため、より高効率である。
【００４０】
実施の形態４．
次に、図８を参照して、実施の形態４に係る電動送風機について説明する。実施の形態４に係る電動送風機は、基本的には実施の形態１に係る電動送風機６と同様の構成を備えるが、複数の静翼１２の第２部１２Ｂ（外周部）がファンカバー１６の内周面と接触している点で異なる。なお、図８において、矢印は空気の流れを示している。
【００４１】
ここで、複数の静翼１２の第２部１２Ｂ（外周部）がファンカバー１６の内周面と接触している状態、とは、第２部１２Ｂとファンカバー１６とが接触している状態、または第２部１２Ｂとファンカバー１６とが微小な隙間（例えば間隔が１ｍｍ以下）を挟んで配置されている状態を示している。異なる観点から言えば、回転軸Ｏを中心として複数の静翼１２の第２部１２Ｂ（外周部）に外接する円Ｃ１の径Ｄ１は、回転軸Ｏを中心としてファンカバー１６の内周面に内接する円Ｃ２の径Ｄ２と略等しい。
【００４２】
図９は、実施の形態４に係る電動送風機の比較例として、複数の静翼１２の第２部１２Ｂがファンカバー１６の内周面と接触していない構成を備える電動送風機のディフューザ１５を示す平面図である。なお、図９において、矢印は空気の流れを示している。
【００４３】
図９に示されるように、複数の静翼１２の第２部１２Ｂがファンカバー１６の内周面と接触していない場合、複数の静翼１２の第２部１２Ｂがファンカバー１６の内周面との間には、隙間２４が形成される。この場合、静翼１２間から隙間２１を通って戻り静翼１３間に流れる風路Ｑ１の他に、複数の静翼１２間から隙間２４を通って先に通過した静翼１２間と隣り合う静翼１２間に流れる風路Ｑ２が形成される。風路Ｑ２を通った空気は、風路Ｑ１を通る空気に合流し、これと混合する。静翼１２間で風路Ｑ１を通った空気と風路Ｑ２を通った空気とが混合すると、静翼１２間での昇圧が妨げられ、仕事率が低下するおそれがある。
【００４４】
これに対し、実施の形態４に係る電動送風機によれば、複数の静翼１２の第２部１２Ｂとファンカバー１６の内周面との間に隙間２４が形成されないため、複数の静翼１２間を流れる空気は隣り合う静翼１２間を流れる空気と混合することなく隙間２１を通って戻り静翼１３間に流入することができる。その結果、実施の形態４に係る電動送風機によれば、静翼１２間での昇圧が促進されるため、仕事率が高く、高効率である。
【００４５】
実施の形態１〜４に係る電動送風機は、上述のように、図１に示されるようなホース２、延長パイプ３が連結されたキャニスタータイプの電気掃除機本体１に搭載され得るが、これに限られるものでは無い。実施の形態１〜４に係る電動送風機は、電気掃除機本体に延長パイプが接続されたコードレスタイプ、スティックタイプの電気掃除機等、他の構造の電気掃除機の電気掃除機本体に搭載され得る。
【００４６】
また、上記の実施の形態１〜４に係る電動送風機は、２次元翼を使用した遠心羽根車１１を備える電動送風機として構成されているが、遠心羽根車１１の形態は特に限定されるものではなく、例えば３次元翼を使用した遠心羽根車を備える電動送風機として構成されていてもよい。
【００４７】
また、上記実施の形態１〜４に係る電動送風機は、家庭用または業務用の電気掃除機に限られず、ハンドドライヤーなど電動送風機を用いた任意の機器に適用できる。この結果、高効率および長寿命な機器を実現できる。
【００４８】
以上のように本発明の実施の形態について説明を行ったが、上述の実施の形態を様々に変形することも可能である。また、本発明の範囲は上述の実施の形態に限定されるものではない。本発明の範囲は、請求の範囲によって示され、請求の範囲と均等の意味および範囲内でのすべての変更を含むことが意図される。
【産業上の利用可能性】
【００４９】
本発明は、家庭用および業務用電気掃除機、ハンドドライヤーなど、電動送風機を用いた機器に特に有利に適用される。
【符号の説明】
【００５０】
１  電気掃除機本体、２  ホース、３  延長パイプ、４  吸込部、５  集塵部、６，６０  電動送風機、７  排出口、８  後部車輪、９  電動機、１０  シャフト、１１  遠心羽根車、１２  静翼、１３  戻り静翼、１２Ａ  第１部、１２Ｂ  第２部、１２ｉ  内縁部、１２ｏ，１３ｏ，１４ｏ  外縁部、１４  主板、１４Ａ  連結部、１４ｕ  下縁部、１５  ディフューザ、１６  ファンカバー、１７  吸込口、１８  ベルマウス、１９  ブラケット、２０  モータフレーム、２１，２４  隙間、２２  吐出孔、２３  延出部、２５  湾曲部。
【図１】
2018003017.tif 000003
【図２】
2018003017.tif 000004
【図３】
2018003017.tif 000005
【図４】
2018003017.tif 000006
【図５】
2018003017.tif 000007
【図６】
2018003017.tif 000008
【図７】
2018003017.tif 000009
【図８】
2018003017.tif 000010
【図９】
2018003017.tif 000011
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
遠心羽根車と、
前記遠心羽根車を回転させる電動機と、
前記遠心羽根車の回転軸に沿った方向において前記遠心羽根車と前記電動機との間に設けられたディフューザとを備え、
前記ディフューザは、前記方向において前記遠心羽根車と前記電動機との間に設けられた主板と、前記方向において前記主板の前記遠心羽根車に面する面に環状に設けられている複数の静翼と、前記方向において前記主板の前記電動機に面する面に環状に設けられている複数の戻り静翼とを含み、
前記主板は、前記遠心羽根車よりも前記回転軸に対して外周側に位置し、かつ前記複数の静翼と連結されている連結部を有し、
前記複数の静翼の各々は、前記連結部よりも前記回転軸に対して外周側に位置する外周部を有し、
前記複数の静翼の前記外周部の各々は、前記方向において、前記主板の前記連結部よりも前記電動機側に延出している延出部を有し、
前記複数の静翼の前記外周部に外接する円の径Ｄ１に対する前記主板の外縁部に内接する円の径Ｄ０の比Ｄ０／Ｄ１が０．９超えであり、
前記延出部において最も内周側に位置する部分は、前記複数の戻り静翼の最も外周側に位置する部分よりも外周側に位置している、電動送風機。
【請求項２】
前記連結部において前記回転軸から最も遠くに位置する部分は、前記連結部において前記回転軸に対して最も近くに位置する部分よりも、前記方向において前記電動機側に位置している、請求項１に記載の電動送風機。
【請求項３】
前記延出部は、前記方向において前記電動機側に位置する前記延出部の端部と、前記連結部において前記回転軸から最も遠くに位置する部分との間の前記方向における距離が、外周側に向かうにつれて大きくなるように構成されている、請求項１または請求項２に記載の電動送風機。
【請求項４】
前記主板の平面形状は、円形状である、請求項１〜請求項３のいずれか１項に記載の電動送風機。
【請求項５】
前記連結部は、前記方向において前記電動機側に向かって湾曲している湾曲部を有している、請求項１〜請求項４のいずれか１項に記載の電動送風機。
【請求項６】
前記遠心羽根車および前記ディフューザを内部に収容しているファンカバーをさらに備え、
前記複数の静翼の前記外周部は、前記ファンカバーの内周面と接触している、請求項１〜請求項５のいずれか１項に記載の電動送風機。
【請求項７】
電気掃除機本体と、
前記電気掃除機本体と管路で連結され、被清掃部の空気を吸引する吸込部と、
前記電気掃除機本体の内部に設けられ、前記吸込部と連通し、吸引した空気の塵を収納する集塵部と、
前記電気掃除機本体の内部に設けられ、前記吸込部から前記集塵部へと空気を吸引する、請求項１〜６のいずれか１項に記載の電動送風機とを備える、電気掃除機。 
【国際調査報告】
2018003017.tif 000012
2018003017.tif 000013
2018003017.tif 000014
2018003017.tif 000015